(57)【要約】【課題】  製造される太陽電池モジュールの品質の低下を防ぎ、歩留まりを向上させる太陽電池モジュールの製造方法及び製造装置を提供すること。【解決手段】  封止材層９と、反射板５と、を隣接して配置する工程と、反射板５を、封止材層９の反対側から押圧部材１０を用いて押圧することにより、封止材層１０と反射板５とを固着させる工程と、を備え、反射板５は、封止材層９の第二の主面９ｂに隣接する面との対向面に、封止材層９側に向かって突出し頂部に稜線が形成された第一の突出部を有し、押圧部材１０には、反射板５の稜線５ｄと非接触となるように第一の非接触部が形成され、かつ、押圧部材１０の形状が、第一の非接触部以外で反射板５と重なり合う形状であることを特徴とする、太陽電池モジュール１の製造方法。【選択図】  図２
2010245275.tif 000002
【特許請求の範囲】
【請求項１】
第一の主面と前記第一の主面の反対側に配置された第二の主面とを備え、内部に太陽電池セルが配置された封止部材を備える封止材層における前記第二の主面側に、前記封止材層を透過した光を前記太陽電池セルに向けて反射させる反射板を隣接して配置する工程と、
前記反射板を、前記封止材層の反対側から押圧部材を用いて押圧することにより、前記封止材層と前記反射板とを固着させる工程と、
を備え、
前記反射板は、前記封止材層の第二の主面に隣接する面との対向面に、前記封止材層側に向かって突出し頂部に稜線が形成された第一の突出部を有し、
前記押圧部材には、前記反射板の前記稜線と非接触となるように第一の非接触部が形成され、かつ、前記押圧部材の形状は、前記第一の非接触部以外で前記反射板と重なり合う形状であることを特徴とする、太陽電池モジュールの製造方法。
【請求項２】
前記第一の非接触部が、前記押圧部材に形成された切り欠き部からなることを特徴とする、請求項１記載の太陽電池モジュールの製造方法。
【請求項３】
前記反射板が、複数の前記第一の突出部を有し、
さらに、前記封止材層の第二の主面に隣接する面との対向面に、前記封止材層の反対側に向かって突出し頂部に稜線が形成された複数の第二の突出部を有し、
前記押圧部材には、全ての前記第一の突出部と非接触となるように前記第一の非接触部が形成され、かつ、全ての前記第二の突出部と非接触となるように前記第二の非接触部が形成されることを特徴とする、請求項１記載の太陽電池モジュールの製造方法。
【請求項４】
前記複数の第一の非接触部及び前記複数の第二の非接触部が、前記押圧部材に形成された切り欠き部からなることを特徴とする、請求項３記載の太陽電池モジュールの製造方法。
【請求項５】
第一の主面と前記第一の主面の反対側に配置された第二の主面とを備え、内部に太陽電池セルが配置された封止部材を備える封止材層における前記第二の主面側に、前記封止材層を透過した光を前記太陽電池セルに向けて反射させる反射板を隣接して配置する手段と、
前記反射板を、前記封止材層の反対側から押圧部材を用いて押圧することにより、前記封止材層と前記反射板とを固着させる手段と、
を備え、
前記反射板は、前記封止材層の第二の主面に隣接する面との対向面に、前記封止材層側に向かって突出し頂部に稜線が形成された第一の突出部を有し、
前記押圧部材には、前記反射板の前記稜線と非接触となるように第一の非接触部が形成され、かつ、前記押圧部材の形状は、前記第一の非接触部以外で前記反射板と重なり合う形状であることを特徴とする、太陽電池モジュールの製造装置。
【発明の詳細な説明】
【技術分野】
【０００１】
本発明は、太陽電池モジュールの製造方法及び製造装置に関する。
【背景技術】
【０００２】
従来、太陽電池モジュールとして、二枚の透光部材の間に太陽電池セルを含む層を配置した構造が知られている。例えば、特許文献１には、一方の主面を入射面とし、他方の主面を反射面とし、太陽電池セルを含む層を備える太陽電池モジュールが開示されている。
特許文献１に記載された太陽電池モジュールでは、太陽電池セルを含む層における反射面に設けられた透光部材が凹凸形状とされている。
【０００３】
この太陽電池モジュールにおいて、太陽電池セルを含む層の一方の主面側から入射した光の一部は、太陽電池セルに入射する。また、太陽電池セルに入射しなかった光は、反射面によって反射される。このとき、他方の面における反射面は凹凸形状とされている。この凹凸形状は、太陽電池セルを含む層側に向かって窪んでいる部分と、太陽電池セルを含む層とは反対側に向かって突出する部分とが、複数交互に配置されることにより形成されている。このような形状の反射面によって反射された光は太陽電池セルに効率よく集められ太陽電池モジュールの集光効率が高いものとなる。
【０００４】
一方、特許文献２には、三角柱状の集光体を備える集光型太陽光発電装置及びその製造方法が開示されている。三角柱状の集光体の一面は受光面、他の一面は反射面であり、受光面及び反射面以外の面に、光電変換素子が設けられている。このような集光体においては、反射面に光反射板が、受光面及び反射面以外の面に太陽電池セルが、押し治具により押し付けられて接着される。
【先行技術文献】
【特許文献】
【０００５】
【特許文献１】特開平１１−３０７７９１号公報
【特許文献２】特開２０００−２２３７３１号公報
【発明の概要】
【発明が解決しようとする課題】
【０００６】
ところで、特許文献１に記載されたような、太陽電池セルを含む層と、凹凸形状を有する透光部材とを、例えば、特許文献２に開示されたプレス治具を応用して一体化することが考えられる。この場合、透光部材の凹凸形状に重なるような凹凸形状を有するプレス治具を用いることとなる。
【０００７】
しかしながら、凹凸形状を有する透光部材において、太陽電池セルを含む層側に向かって窪んでいる部分は、厚みが相対的に厚く、太陽電池セルを含む層とは反対側に向かって突出する部分は、厚みが相対的に薄い。この透光部材を製造する際に、上記特許文献２に開示されたプレス治具を用いると、透光部材における厚みの薄い部分に応力が集中し、割れが生じてしまうことがある。また、応力の集中が大きい場合、太陽電池セルがプレス前の位置から大きくずれてしまい、セルが割れてしまうということがある。これらの不具合は、太陽電池モジュールの品質の低下及び歩留まりの低下を招くおそれがある。
【０００８】
そこで本発明は、製造される太陽電池モジュールの品質の低下を防ぎ、歩留まりを向上させる太陽電池モジュールの製造方法及び製造装置を提供することを目的とする。
【課題を解決するための手段】
【０００９】
本発明に係る太陽電池モジュールの製造方法は、第一の主面と第一の主面の反対側に配置された第二の主面とを備え、内部に太陽電池セルが配置された封止部材を備える封止材層における第二の主面側に、封止材層を透過した光を太陽電池セルに向けて反射させる反射板を隣接して配置する工程と、反射板を、封止材層の反対側から押圧部材を用いて押圧することにより、封止材層と反射板とを固着させる工程と、を備え、反射板は、封止材層の第二の主面に隣接する面との対向面に、封止材層側に向かって突出し頂部に稜線が形成された第一の突出部を有し、押圧部材には、反射板の稜線と非接触となるように第一の非接触部が形成され、かつ、押圧部材の形状は、第一の非接触部以外で反射板と重なり合う形状であることを特徴とする。
【００１０】
本発明に係る太陽電池モジュールの製造方法においては、封止材層に隣接するように配置された反射板を、封止材層の反対側から押圧部材を用いて押圧することにより、封止材層と反射板とを固着させる。押圧部材は、反射板の稜線に対して非接触となるような形状であることから、反射板の稜線と押圧部材と間では線接触が生じないため、反射板の稜線と押圧部材との間の応力集中をなくすことができ、太陽電池セルのずれや反射板の割れを防ぐことができる。具体的には、反射板の第一の突出部の頂部においては、厚みが他の部分に比べて薄く、特に最も厚みが薄い稜線においては、押圧部材と接触するような場合は応力が集中し易い。しかしながら、上述した形状の押圧部材で押圧することにより、このような応力集中を防ぐことができる。これにより、製造される太陽電池モジュールの品質の低下を防ぎ、歩留まりを向上させることができる。
【００１１】
ここで、第一の非接触部が、押圧部材に形成された切り欠き部からなることが好ましい。
【００１２】
押圧部材に切り欠き部を形成することにより、第一の非接触部を容易に形成することができる。
【００１３】
また、反射板が、複数の第一の突出部を有し、さらに、封止材層の第二の主面に隣接する面との対向面に、封止材層の反対側に向かって突出し頂部に稜線が形成された複数の第二の突出部を有し、押圧部材には、全ての第一の突出部と非接触となるように第一の非接触部が形成され、かつ、全ての第二の突出部と非接触となるように第二の非接触部が形成されることが好ましい。
【００１４】
押圧部材において、上記第一の非接触部及び第二の非接触部が形成されていることにより、反射板の稜線における応力集中を一層緩和することができる。また、反射板及び封止材層に対する押圧力が均一となり、製造時における封止材層の気泡の除去が行われ易くなるため、気泡の混入に起因する不良を大幅に低減できる。
【００１５】
また、複数の第一の非接触部及び複数の第二の非接触部が、押圧部材に切り欠き部を形成することにより形成されることが好ましい。
【００１６】
押圧部材に切り欠き部を形成することにより、第一の非接触部を容易に形成することができる。
【００１７】
本発明に係る太陽電池モジュールの製造装置は、第一の主面と第一の主面の反対側に配置された第二の主面とを備え、内部に太陽電池セルが配置された封止部材を備える封止材層における第二の主面側に、封止材層を透過した光を太陽電池セルに向けて反射させる反射板を隣接して配置する手段と、反射板を、封止材層の反対側から押圧部材を用いて押圧することにより、封止材層と反射板とを固着させる手段と、を備え、反射板は、封止材層の第二の主面に隣接する面との対向面に、封止材層側に向かって突出し頂部に稜線が形成された第一の突出部を有し、押圧部材には、反射板の稜線と非接触となるように第一の非接触部が形成され、かつ、押圧部材の形状は、第一の非接触部以外で反射板と重なり合う形状であることを特徴とする。
【００１８】
上記構造を有する太陽電池モジュールの製造装置によれば、反射板の稜線と押圧部材との間には線接触が生じないため、反射板の稜線と押圧部材との間の応力集中をなくすことができ、太陽電池セルのずれや反射板の割れを防ぐことができる。これにより、製造される太陽電池モジュールの品質の低下を防ぎ、歩留まりを向上させることができる。
【発明の効果】
【００１９】
本発明によれば、製造される太陽電池モジュールの品質の低下を防ぎ、歩留まりを向上させる太陽電池モジュールの製造方法、及び太陽電池モジュールの製造装置を提供することができる。
【図面の簡単な説明】
【００２０】
【図１】第一実施形態に係る太陽電池モジュールの製造方法により得られた太陽電池モジュールの斜視図である。
【図２】第一実施形態に係る太陽電池モジュールの製造方法の一工程を示す模式断面図である。
【図３】第一実施形態に係る押圧部材の一例を示す模式断面図である。
【図４】第一実施形態に係る押圧部材の他の一例を示す模式断面図である。
【図５】第二実施形態に係る太陽電池モジュールの製造方法の一工程を示す模式断面図である。
【図６】第二実施形態に係る押圧部材の一例を示す模式断面図である。
【図７】第二実施形態に係る押圧部材の他の一例を示す模式断面図である。
【発明を実施するための形態】
【００２１】
以下、添付図面を参照しながら、本発明に係る太陽電池モジュールの製造方法及び製造装置、並びに、それにより製造される太陽電池モジュールの好適な実施形態について説明する。なお、図面の説明において、同一の要素には同一の符号を付し、重複する説明は省略する。また、図面の寸法比率は、実際のものと異なることがある。
【００２２】
＜第一実施形態＞
図１〜４に基づき、第一実施形態に係る太陽電池モジュールの製造方法及び製造装置を説明する。
【００２３】
（太陽電池モジュール）
図１は、第一実施形態に係る太陽電池モジュールの製造方法により得られる太陽電池モジュール１の斜視図である。太陽電池モジュール１は、透明板２と、封止材層９と、反射板５と、がこの順に積層されて形成されたものである。
【００２４】
太陽電池モジュール１は、透明板２の封止材層９が設けられた面と反対側の面２ａを受光面とする。透明板２としては、ソーダガラス、ホウケイ酸ガラス、石英ガラス、ポリカーボネート、アクリル樹脂などが用いられる。これらのうち強度、耐熱性、長期信頼性、及びコストの観点からソーダガラスが好ましい。透明板２に用いられる材料の具体例としては、例えば、ＫＲＹＳＴＡＬ  ＫＬＥＡＲ（ＡＧＣ社製、商品名）が挙げられる。
【００２５】
封止材層９は、封止材３の内部に太陽電池セル７が複数封入されたものである。太陽電池セル７は、その受光面が封止材層９の第一の主面９ａ及び第二の主面９ｂに平行となるように配置される。複数の太陽電池セル７は、太陽電池セル７同士が、インターコネクタ８によって電気的に直列に接続される。複数の太陽電池セル７は、第一の主面９ａ及び第二の主面９ｂに沿う方向に互いに離間して配置される。封止材３としては、エチレン−酢酸ビニル共重合体（ＥＶＡ）が好適に用いられる。封止材３に用いられる材料の具体例としては、例えば、ソーラエバＳＣ５０Ｂ（三井化学ファブロ社製、商品名）が挙げられる。
【００２６】
太陽電池セル７は、太陽光を両面で捕らえるタイプと片面で捕らえるタイプとがあり、本実施形態では、両面受光型の太陽電池セルが利用されている。セルの種類は、単結晶Ｓｉセル、多結晶Ｓｉセル、薄膜Ｓｉセル、III−Ｖ族セル、化合物系セル、有機セルなどが挙げられる。エネルギー変換効率の観点から、単結晶Ｓｉセル、多結晶Ｓｉセルが好ましい。
【００２７】
反射板５は、封止材層９の第二の主面９ｂに隣接する面５ｂとの対向面に、封止材層９側に向かって突出し頂部に稜線５ｄが形成された第一の突出部を有する。具体的には、反射板５の断面が、封止材層９側に向かって突出する断面Ｖ字形状が複数連なった凹凸形状をなす。より具体的には、二つの平面５ａが、封止材層９側に向かって突出する断面Ｖ字形状を形成するように、封止材層９の第一の主面９ａ及び第二の主面９ｂに対して傾斜する。
【００２８】
図１に示すように、反射板５の断面が、封止材層９側に向かって突出する断面Ｖ字形状の複数連なった形状である場合、反射板５は、さらに、封止材層９側の反対側に向かって突出し頂部に稜線５ｃが形成された突出部を有する。このような反射板５を利用することで、透明板２及び封止材層９の第一の主面９ａ側から入射し封止材層９を透過した光を、太陽電池セル７に向けて反射させることができる。反射板５は、基材４と反射膜６とから構成される。基材４は、ガラス板又はプラスチックから形成されたものが好適に用いられる。また、反射膜６は、基材４の封止材層９と隣接する面とは反対側の面に、銀又はアルミを蒸着することにより形成されたものが好適に用いられる。このような反射板５は、長期信頼性に優れ、高い反射能を有する。なお、反射板５は、透明性、プレスによる形状付形性、長期信頼性、及びコストを満足する観点から、基材４のみから形成されていてもよい。
【００２９】
以上、太陽電池モジュールの好適な実施形態について説明したが、太陽電池モジュールは、上記の形態に限定されない。例えば、平面５ａは、例えば、封止材層９とは反対側に膨らむ曲面であっても構わない。
【００３０】
（太陽電池モジュールの製造装置）
続いて、図２を参照して、第一実施形態に係る太陽電池モジュールの製造装置について説明する。第一実施形態に係る太陽電池モジュールの製造装置は、封止材層９と反射板５とを隣接して配置する手段と、封止材層９と反射板５とを固着させる手段と、を備える。
【００３１】
図２は、封止材層９と反射板５とを固着させる手段を示す模式断面図である。封止材層９と反射板５とを固着させる手段は、例えば、図２に示すような、押圧部材１０、並びに、ダイアフラム１２及び加熱板１１を備える真空ラミネート機１３である。真空ラミネート機１３は、真空ラミネート機１３の機体の内部におけるダイアフラム１２よりも加熱板１１側を、大気圧から減圧し、真空状態とすることができる減圧装置（図示せず）をさらに備える。押圧部材１０は、ダイアフラム１２と反射板５との間に介在する。
【００３２】
ダイアフラム１２は、真空ラミネート機１３の機体の内部におけるダイアフラム１２よりも加熱板１１側が減圧されるにつれて、封止材層９と反射板５とを含む太陽電池モジュール１の方向に向かって移動する。ダイアフラム１２が、上述のように太陽電池モジュール１の方向に向かって移動することにより、押圧部材１０は、反射板５を封止材層９に向けて押圧することとなる。
【００３３】
加熱板１１は、封止材層９を構成する封止部材３に接着性が生じる程度に、封止材層９と反射板５とを含む太陽電池モジュール１を加熱する。太陽電池モジュール１は、所望の温度まで加熱されながら、上述したような押圧部材１０による加圧を受ける。これにより、封止材３と反射板５とは固着される。
【００３４】
（太陽電池モジュールの製造方法）
続いて、第一実施形態に係る太陽電池モジュールの製造方法について説明する。図２は、第一実施形態に係る太陽電池モジュールの製造方法の一工程を示す模式断面図である。本実施形態に係る太陽電池モジュールの製造方法は、［ａ］封止材層と反射板とを隣接して配置する工程と、［ｂ］封止材層と反射板とを固着させる工程と、を備える。図２は、［ｂ］封止材層と反射板とを固着させる工程を示す模式断面図である。
【００３５】
［ａ］封止材層と反射板とを隣接して配置する工程
まず、封止部材３内に太陽電池セル７が配置された封止材層９及び反射板５を用意する。次に、封止材層９の対向する二つの主面９ａ，９ｂのうち、第二の主面９ｂに反射板５の平面５ｂを重ねて合わせる。こうして、封止材層９と反射板５とを隣接して配置する工程を終了する。
【００３６】
［ｂ］封止材層と反射板とを固着させる工程
続いて、反射板５を、封止材層９の反対側から押圧部材１０を用いて押圧することにより、封止材層９と反射板５とを固着させる。具体的には、図２に示すように、まず、真空ラミネート機１３の加熱板１１上に、透明板２、封止材層９、反射板５をこの順に積層した太陽電池モジュール１を載置する。次に、反射板５とダイアフラム１２との間に、押圧部材１０を介在させる。
【００３７】
次に、加熱板１１を１５０℃程度まで昇温して封止部材３を溶融する。この加熱操作と同時に、真空ラミネート機１３の機体の内部におけるダイアフラム１２よりも加熱板１１側を減圧し、真空状態にする。真空ラミネート機１３の機体の内部におけるダイアフラム１２よりも加熱板１１側が真空状態に近づくと、ダイアフラム１２が、押圧部材１０を介して反射板５を面プレスする。こうして、反射板５と封止部材３とが密着され、反射板５と封止材層９とが固着する。なお、面プレスの圧力は、１０ｋＰａ以上であることが好ましい。面プレスの圧力を１０ｋＰａ以上に設定することにより、封止材層９内部に残存した、又は、封止部材３から発生した気泡を、プレス時に十分除去することができる。
【００３８】
押圧部材１０には、反射板５の第一の突出部の頂部に形成された稜線５ｄと非接触となるように、第一の非接触部が形成されている。押圧部材１０の第一の非接触部は、例えば、面１０ｃ及び面１０ｄからなるものである。面１０ｃ及び面１０ｄと、二つの平面５ａとで囲まれた空間は、断面がひし形の空間である。また、押圧部材１０の形状は、第一の非接触部以外で反射板５と重なり合う形状である。押圧部材１０の材質としては、例えば、アルミナ（京セラ社製、Ａ−４７）が好適に用いられる。
【００３９】
このような押圧部材１０を用いて封止材層９と反射板５とを固着させることにより、反射板５の第一の突出部の頂部に形成された稜線５ｄと押圧部材１０とは非接触となり、応力集中をなくすことができる。その結果、製造される太陽電池モジュール１の品質の低下を防ぎ、歩留まりを向上させることができる。
【００４０】
また、反射板５の稜線５ｄに対する応力集中が防止されることから、封止材層９に対するプレス圧を均一化することができる。そのため、太陽電池モジュール１に対する加圧時における封止材層９からの脱泡性を向上させることができる。その結果、気泡噛みによる不良を低減することができる。
【００４１】
さらに、反射板５の稜線５ｄに対する応力集中が防止され、封止材層９に対するプレス圧を均一化することができることから、封止材層９と反射板５との間の濡れ性を改善することができる。その結果、接着強度を向上させることができ、長期信頼性を向上させることができる。
【００４２】
また、第一実施形態に係る太陽電池モジュールの製造方法及び製造装置によれば、反射板５の稜線５ｄと、押圧部材１０との間の線接触が生じなくなるため、反射膜６の形成方法によらず、反射膜６の基材４からの剥離を防止することもできる。
【００４３】
本工程においては、本実施形態のように、透明板２、封止材層９、及び反射板５をこの順に積層した太陽電池モジュール１を、必ずしも一度に固着させる必要はない。まず、加熱板１１上に、封止材層９及び反射板５をこの順に積層した積層体を載置し、反射板５を封止部材３に密着させ、その後、反射板５と封止材層９とが固着した積層体を、透明板２と固着させても構わない。
【００４４】
ここで、第一の非接触部が、押圧部材１０に形成された切り欠き部からなる場合について図３，４を参照して具体的に説明する。切り欠き部が形成された押圧部材１０としては、例えば、図３（ａ）〜（ｃ）及び図４（ａ）〜（ｃ）のような形状を有するものが挙げられる。
【００４５】
図３（ａ）〜（ｃ）は、反射板５の凹凸形状が、図１に示すような平面５ａによって形成されたものである場合に用いる押圧部材１０の模式断面図である。図３（ａ）に示される押圧部材１０は、図２に示したものと同様であり、反射板５と接触する面１０ａ側に、面１０ｃ及び面１０ｄから形成される切り欠き部を有するものである。このような切り欠き部と、反射板５の二つの平面５ａとから形成される空間は、断面がひし形である。また、図３（ｂ）に示される押圧部材１０は、面１０ｅ、面１０ｆ及び面１０ｇで構成される切り欠き部を有するものである。このような切り欠き部と、反射板５の二つの平面５ａとから形成される空間は、断面が五角形のホームベース型となる。また、図３（ｃ）に示される押圧部材１０は、面１０ｇで構成される切り欠き部を有するものである。このような切り欠き部と、反射板５の二つの平面５ａとから形成される空間は、断面が扇形となる。
【００４６】
図４（ａ）〜（ｃ）は、反射板５の凹凸形状が、平面５ａの代わりに、封止材層９に対して反対側に膨らむ曲面によって形成されたものである場合に用いる押圧部材１０の模式断面図である。図４（ａ）に示される押圧部材１０は、反射板５と接触する面１０ａ側に、面１０ｃ及び面１０ｄから形成される切り欠き部を有するものである。このような切り欠き部と、反射板５の二つの平面５ａとから形成される空間の断面は、ひし形である。また、図４（ｂ）に示される押圧部材１０は、面１０ｅ、面１０ｆ及び面１０ｇで構成される切り欠き部を有するものである。このような切り欠き部と、反射板５の二つの平面５ａとから形成される空間は、断面が五角形のホームベース型である。また、図４（ｃ）に示される押圧部材１０は、面１０ｈで構成される切り欠き部を有するものである。このような切り欠き部と、反射板５の二つの平面５ａとから形成される空間は、断面が扇形となる。
【００４７】
押圧部材１０に、このような切り欠き部を形成することにより、第一の非接触部を容易に形成することができる。
【００４８】
＜第二実施形態＞
続いて、図５〜７に基づき、第二実施形態に係る太陽電池モジュールの製造方法を説明する。
【００４９】
図５は、第二実施形態に係る太陽電池モジュールの製造方法の一工程を示す模式断面図である。本実施形態に係る太陽電池モジュールの製造方法においては、反射板５が、複数の第一の突出部及び複数の第二の突出部を有する。第一の突出部は、封止材層９に隣接する面５ｂとの対向面に、封止材層９側に向かって突出し頂部に稜線５ｄが形成されたものである。第二の突出部は、封止材層９の反対側に向かって突出し頂部に稜線５ｃが形成されたものである。具体的には、第一の突出部及び第二の突出部を有する反射板５の断面が、例えば、封止材層９の反対側に向かって突出する断面Ｖ字形状が複数連なった形状であればよい。
【００５０】
本実施形態における押圧部材１０には、全ての第一の突出部と非接触となるように第一の非接触部が形成され、かつ、全ての第二の突出部と非接触となるように第二の非接触部が形成される。押圧部材１０の第一の非接触部は、上述した第一実施形態における第一の非接触部と同様のものである。押圧部材１０の第二の非接触部は、例えば、図５に示すような、面１０ｅ、面１０ｆ、及び面１０ｇからなるものである。面１０ｅ、面１０ｆ、及び面１０ｇと、二つの平面５ａとで囲まれた空間は、断面が四角形の一部が三角形で埋められた形である。
【００５１】
このような押圧部材１０を用いることにより、反射板５の稜線５ｃ，５ｄにおける応力集中をなくすことができる。また、反射板５及び封止材層９に対する押圧力がさらに均一となり、製造時における封止材層９の気泡の除去が極めて行われ易くなり、気泡の混入に起因する不良を大幅に低減できる。
【００５２】
また、第二実施形態に係る太陽電池モジュールの製造方法及び製造装置によれば、反射膜６の形成方法によらず、反射膜６の基材４からの剥離を防止することもできる。第二実施形態においては、全ての第一の突出部及び第二の突出部が、押圧部材１０と非接触となるため、反射膜６の基材４からの剥離が極めて有効に防止されることとなる。
【００５３】
ここで、複数の第一の非接触部及び複数の第二の非接触部が、押圧部材１０に形成された切り欠き部からなる場合について、図６，７を参照して具体的に説明する。切り欠き部が形成された押圧部材１０としては、例えば、図６（ａ）、（ｂ）及び図７（ａ）〜（ｃ）のような形状を有するものが挙げられる。
【００５４】
図６（ａ）、（ｂ）は、反射板５の凹凸形状が、図１に示すような平面５ａによって形成されたものである場合に用いる押圧部材１０の模式断面図である。図６（ａ）に示される押圧部材１０は、図５に示したものと同様であり、反射板５と接触する面１０ａ側に、面１０ｅ、面１０ｆ及び面１０ｇから形成される切り欠き部を有するものである。このような切り欠き部と、反射板５の二つの平面５ａとから形成される第一の非接触部は、断面が五角形のホームベース形であり、第二の非接触部は、断面が四角形の一部が三角形で埋められた形である。また、図６（ｂ）に示される押圧部材１０は、面１０ｈから形成された切り欠き部を有するものである。このような切り欠き部と、反射板５の二つの平面５ａとから形成される第一の非接触部及び第二の非接触部の断面は、扇形である。
【００５５】
図７（ａ）、（ｂ）は、反射板５の凹凸形状が、平面５ａによって形成されたものである場合に用いる押圧部材１０の模式断面図であり、（ｃ）は、反射板５の凹凸形状が、平面５ａの代わりに、封止材層９に対して反対側に膨らむ曲面によって形成されたものである場合に用いる押圧部材１０の模式断面図である。図７（ａ）に示される押圧部材１０は、反射板５と接触する面１０ａ側に、面１０ｃ及び面１０ｄから形成された切り欠き部、並びに、面１０ｅ、面１０ｆ及び面１０ｇから形成された切り欠き部を有するものである。また、図７（ｂ）に示される押圧部材１０は、面１０ｃ及び面１０ｄから形成された切り欠き部、並びに、面１０ｈで形成された切り欠き部を有するものである。また、図７（ｃ）に示される押圧部材１０は、面１０ｅ、面１０ｆ及び面１０ｇから形成された切り欠き部を有するものである。
【００５６】
押圧部材１０に、このような切り欠き部を形成することにより、第一の非接触部及び第二の非接触部を容易に形成することができる。
【００５７】
以上、本発明に係る太陽電池モジュールの製造方法及び太陽電池モジュールの製造装置、並びに、それにより製造される太陽電池モジュールの好適な実施形態について説明したが、本発明は上記の実施形態に限定されない。例えば、第一の非接触部及び／又は第二の非接触部は、押圧部材１０の面１０ａ側に形成された切り欠き部からなるものだけではなく、例えば、反射板５の第一の突出部の頂部に形成される稜線５ｄ及び／又は第二の突出部の頂部に形成される稜線５ｃと線接触することになる部分、並びにその周辺部分に、応力の伝達を遮る材質を用いても実施は可能である。
【００５８】
また、上記第一及び第二実施形態においては、反射板５の断面が、封止材層９側に向かって突出する断面Ｖ字形状が複数連なった凹凸形状であるが、封止材層９側に向かって突出する断面Ｖ字形状が少なくとも１つあれば実施は可能である。
【００５９】
また、上記第一及び第二実施形態においては、反射膜６は、基材４の封止材層９と隣接する面とは反対側の面に、銀又はアルミを蒸着することにより形成されているが、例えば、１００μｍ以下の金属薄膜を基材４に貼り付けること等により形成することもできる。
【符号の説明】
【００６０】
１…太陽電池モジュール、２…透明板、３…封止部材、４…基材、５…反射板、５ｂ，５ｃ…稜線、６…反射膜、７…太陽電池セル、８…リード、１２…ダイアフラム、９…封止材層、９ａ…封止材層の第一の主面、９ｂ…封止材層の第二の主面、１０…押圧部材、１０ｃ，１０ｄ，１０ｅ，１０ｆ，１０ｇ，１０ｈ…非接触部を形成する面、１１…加熱板、１２…ダイアフラム、１３…真空ラミネート機。
【図１】
2010245275.tif 000003
【図２】
2010245275.tif 000004
【図３】
2010245275.tif 000005
【図４】
2010245275.tif 000006
【図５】
2010245275.tif 000007
【図６】
2010245275.tif 000008
【図７】
2010245275.tif 000009